(57)【要約】  【課題】  袋詰め作業を含む全体の精算作業を効率よく行うことができるとともに、構造が簡易な袋詰め台（サッカー台）を提供する。  【解決手段】  回転式袋詰め台１は、ベース台１０と、ベース台１０上で回転する回転台３０と、回転台３０の上方に設けられた回転しない固定テーブル６０を有する。回転台３０の側面には、包装袋を掛ける一対のラック７０が設けられている。ラック対７０の外側は安全対策用の幕板７１が設けられている。固定テーブル６０上には、小袋供給具６１が置かれている。回転台１０を回転させることにより、各ラック対７０は、店員がバーコード読み取り後の商品をラック７０に掛けられた袋に詰める位置から、客が商品が詰められた袋を受け取る位置へ移動する。【選択図】  図１
2006034765.tif 000002
【特許請求の範囲】
【請求項１】
回転する台と、
該台の側壁に設けられた包装袋を掛けるラックと、
該台の上面に設けられた、包装補助具を置く回転しないテーブルと、
を具備することを特徴とする回転式袋詰め台。
【請求項２】
前記テーブルが、前記回転台の中心に立設された柱上に設けられていることを特徴とする請求項１記載の回転式袋詰め台。
【請求項３】
前記包装補助具が、小袋供給具であることを特徴とする請求項１又は２記載の回転式袋詰め台。
【発明の詳細な説明】
【技術分野】
【０００１】
本発明は、スーパーマーケット等において、精算後の商品を袋詰めする際に使用する袋詰め台に関する。特には、袋詰め作業を含む全体の精算作業を効率よく行うことができる袋詰め台（サッカー台）に関する。
【背景技術】
【０００２】
スーパーマーケット等においては、購入された商品の精算時に、一般に次のような作業が行われている。まず、客が商品の入ったカゴを置き台に置く。店員は、カゴから商品を取り出し、バーコード読み取り装置（スキャナ装置）で商品に付けられたバーコードを読み取った後、スキャナ装置の下流に置かれた別のカゴに入れる。全ての商品の読み取りが終了した後、店員がレジスタ装置で購入金額を計算し、精算する。精算後、客は、精算された商品の入ったカゴを別の台（サッカー台）に移動させて、そこでレジ袋に袋詰めする。または、一人の店員が商品のバーコードを読み取った後、別の店員がこの商品を袋詰めして、この袋を客に手渡すような場合もある。
【０００３】
上述の方法では、以下のような問題点がある。精算後の商品を客が袋詰めする場合は、客に手間を掛けさせることに加えて、カゴ置き台の下流側に、袋詰め用の台（サッカー台）を設置するためのスペースを開ける必要がある。また、店員が一人の客が購入した商品のバーコードを読み取る時間よりも、客が商品を袋詰めする時間の方が長いことがあると、客が集中したときに袋詰め台付近が混雑し、客の流れがスムーズでなくなる。また、ひどい場合には、客が袋詰め台のスペースが空くのを待つ必要がある。一方、別の店員が袋詰めする方法では、客に手間を掛けさせず、精算後直ぐに商品を受け取ることができる。また、袋詰め台を置くスペースを設ける必要がない。しかし、二人の店員が必要となり、前者の方法に比べて店側にとってコストがかかってしまう。
【０００４】
そこで、このような問題点に対する対策として、袋詰め作業を効率化して、客へのサービス向上を図った袋詰め台が開示されている（特許文献１、特許文献２参照）。
特許文献１に開示されている袋詰め台は、スキャナ装置の下流に配置された、レジ袋を口を開いた状態で引っ掛ける一対のフック、同フックの下流に配置されたローラーコンベア装置を有する。店員はバーコードを読み取った商品を、フックに掛けられているレジ袋に詰め、全ての商品を詰め終えた後、レジ袋をローラーコンベアに載せて、下流へ搬送する。
一方、特許文献２に開示されている袋詰め台は、上下に昇降する載置台を備える。載置台には、袋体が開いた状態で支持されている。精算後の全ての商品を載置台の袋体上に載せ終わると、載置台が下降する。そして、袋体の口が自動的に閉じられた後、載置台が上昇し、店員は口が閉じられた袋体を客に渡す。
【特許文献１】特開２０００−１２３２４９号公報
【特許文献２】特開２０００−１９０９２５号公報
【発明の開示】
【発明が解決しようとする課題】
【０００５】
このような袋詰め台は、店側（店員）が商品をレジ袋に詰めて、客に渡すというもので、サービスの向上が図られている。しかし、載置台の昇降装置やローラーコンベアなどの大掛かりな機構が必要になってしまう。
【０００６】
本発明は上記の問題点に鑑みてなされたものであって、袋詰め作業を含む全体の精算作業を効率よく行うことができるとともに、構造が簡易な袋詰め台（サッカー台）を提供することを目的とする。
【課題を解決するための手段】
【０００７】
本発明の回転式袋詰め台は、  回転する台と、  該台の側壁に設けられた包装袋を掛けるラックと、  該台の上面に設けられた、包装補助具を置く回転しないテーブルと、を具備することを特徴とする。
【０００８】
ラックは、店員がバーコード読み取り後の商品をラックに掛けられた袋に詰める位置と、客が商品が詰められた袋を受け取る位置との間を回転する。このため、客は、店員の商品のバーコード読み取り、袋詰め及び精算作業の後すぐに、商品が詰められた袋を受け取ることができる。そして、店員は回転台を回転させることによりこの作業を連続して行うことができるので、客のスムーズな流れが可能になる。このように店員によって袋詰め作業がなされるため、店のサービスの向上が図れる。また、袋詰め台は、スキャナ装置の下流に連続して設置されるため、袋詰め台を置くためのスペースが不要になり、省スペース化が可能になる。また、袋詰め台の構造も簡易である。
さらに、ラックを２対設けることもできるため、冷凍食品や、洗剤などの化学薬品を、一般の食品を区別して袋詰めすることもできる。
【０００９】
本発明においては、  前記テーブルが、前記回転台の中心に立設された柱上に設けられていることとすれば、簡単な構造でテーブルを回転させないように設置できる。
【００１０】
本発明においては、  前記包装補助具が、小袋供給具であることとすれば、野菜や、豆腐などの水分が滴り落ちるようなものを別途小分けして包装できる。
【発明の効果】
【００１１】
以上の説明から明らかなように、本発明によれば、商品の袋詰めを含む精算作業全体を効率化できる袋詰め台を提供できる。これにより、店側にとってはサービス向上を図ることができるとともに、省スペース化が可能になる。
【発明を実施するための形態】
【００１２】
以下、本発明の実施の形態について、図面を参照しながら詳細に説明する。
図１は、本発明の実施の形態に係る袋詰め台の全体の構造を示す斜視図である。
この袋詰め台（サッカー台）１は、主に、ベース台１０と、同ベース台１０上に回転可能に設けられた回転テーブル（回転台）３０と、同回転テーブルの上面に設けられた回転しない固定テーブル６０と、を備える。回転台３０の各側壁には、２対の包装袋（レジ袋）を掛けるラック７０が設けられている。
【００１３】
図２は、図１の袋詰め台のベース台と回転テーブルの構造を示す図であり、図２（Ａ）は平面図、図２（Ｂ）は正面図である。
ベース台１０は、図２（Ａ）に示すように、平面形状が略六角形状である。詳細には、ベース台１０の天板１１の平面形状は、連続する４個の内角が１２０°、その他の内角が１５０°と９０°となっている。同ベース台１０の側面には、図１に示すように、扉開閉式の収納部１３や、側面が開いた棚１５が設けられている。ベース台は、化粧板で作製される。この収納部１３や棚１５には、レジ袋等のストックなどが収納されている。また、ベース台１０に、引き出し式の置き台を設けてもよい。
一例で、ベース台１０の幅は１１５０ｍｍである。
【００１４】
図２（Ｂ）に示すように、ベース台１０の天板１１の中央には、内側支柱組立体２０が立設している。内側支柱組立体２０は、円形の底板２１と、同底板２１の中央から立設する中空の支柱２３と、同支柱２３の上端に固定された天板２５とからなる。同組立体２０の底板２１は、ベース台１０の天板１１の中央にネジで固定されており、支柱２３は、ベース台１０の天板１１の中央から立設している。
【００１５】
回転テーブル３０は、円形の下テーブル部３１と、中空の三角柱状の外側支柱組立体３３と、三角形の上テーブル部４５とを有する。この回転テーブル３０は、内側支柱組立体２０の支柱２３の周りを回転可能となるようにベース台１０に取り付けられる。
【００１６】
上下テーブル部４５、３１は、化粧板で作製される。図２（Ａ）に示すように、下テーブル部３１の大きさは、ベース台１０の天板１１の大きさよりも小さい。このため、回転テーブル１０が回転したときに、下テーブル部３１がベース台１０からはみ出すようなことがない。また、上テーブル部４５の平面的な大きさは、外側支柱組立体３３よりもやや大きい。
上下のテーブル部４５、３１の中心には、各々貫通孔４６、３２が開けられている。
【００１７】
外側支柱組立体３３は、三角形の底板３７と、同底板３７の中心から立設する中空の支柱３５と、同支柱３５の上端に固定された天板３９とを有する。さらに、同組立体３３は、３枚の方形の壁板４１を、角度が６０度のアングル４３を介して連結した側壁組立を有する。側壁組立は底板３７上に固定されている。支柱３５の内径は、内側支柱組立体２０の支柱２３の外径よりも大きい。また、底板３７と天板３９の中央には、支柱３５の内径とほぼ等しい径の孔が開けられている。
【００１８】
下テーブル部３１、外側支柱組立体３３、上テーブル部４５は、各中心軸が一致するように配置される。そして、外側支柱組立体３３の底板３７が下テーブル部３１にネジで固定され、同組立体３３の天板３９が上テーブル部４５にネジで固定される。これにより、上下テーブル部４５、３１、外側支柱組立体３３が組み立てられて回転テーブル３０が形成される。そして、この回転テーブル３０の中心軸上には、上下テーブル部４５、３１の貫通孔４６、３２、外側支柱組立体３３の支柱３５の中空部を貫通する貫通孔が形成される。
【００１９】
回転テーブル３０の貫通孔（上下テーブル部４５、３１の貫通孔４６、３２、支柱３５の中空部）には、ベース台１０に立設された内側支柱組立体２０の支柱２３が貫通している。そして、回転テーブル３０は、ベース台１０上にターンテーブル５０を介して設置されている。ターンテーブル５０は円環状の形状で、内側支柱組立体２０の底板２１の周囲に配置されている。このような構造により、回転テーブル３０は、内側支柱組立体２０の支柱２３の周囲を両方向に回転可能となる。
【００２０】
内側支柱組立体２０の支柱２３は、回転テーブル３０の中心軸上の貫通孔を通り、上テーブル部４５の貫通孔４６から突き出ている。同支柱２３の上端の天板２５には円形の固定テーブル６０が取り付けられている。固定テーブル６０は化粧板で作製され、大きさは回転テーブル３０の上テーブル部４５の大きさよりも小さい。固定テーブル６０上には、野菜や、豆腐などの水分が滴るような商品を小分けして包装するポリ袋がロール式に収容された小袋供給具６１が置かれている。なお、小袋供給具６１は、ロール式でなく、他の供給方式であってもよい。また、同テーブル６０上には、レジ袋の口を閉じるためのテープなどが置かれていてもよい。
【００２１】
このような構造により、この袋詰め台１は、ベース台１０に対して、同台１０の中心軸の周りを回転する回転テーブル３０と、回転テーブル３０の上方で、回転しない固定テーブル６０とを備える構造とできる。
【００２２】
図１に示すように、回転テーブル３０の、外側支柱組立体３３の各側板４１には、一対の袋掛けラック７０が設けられている。各ラック７０は、各側板の上部から、同板にほぼ垂直に突き出して、先端はやや上方に湾曲している。さらに、一対のラック７０の両外側には、幕板７１が、側板にほぼ垂直な面に拡がるように突き出している。この幕板７１は、各ラック対間を隔てるとともに、客への安全対策として設けられている。特に、ラック対７０は子どもの目の高さ付近にあるため、ラック対７０の先端が目に当るようなことを防いでいる。
【００２３】
図３は、ラック対の付近の構造を示す斜視図である。
各ラック対７０には、複数のレジ袋Ｂの持ち手が掛けられている。レジ袋Ｂはラック対７０の奥に、重ねて保持されており、最も手前のレジ袋Ｂ−１はラック対７０の手前側に引き出されて、袋の口が開いた状態となっている。開かれたレジ袋Ｂ−１の下端は、下テーブル部３１上に載っている。そして、この最も手前側の１個のレジ袋Ｂ−１をラック対７０から手前方向に引き出すと、次のレジ袋Ｂ−２がラック対７０に沿って手前側に引き出されて口が開く。このようなレジ袋Ｂの引き出し方法としては、公知の種々の方法を用いることができる。
【００２４】
次に、この袋詰め台１の使用例を説明する。
図４は、袋詰め台を備えた精算システムを示す斜視図である。
図５は、図４の精算システムの平面図である。
精算システム１００は、買い物カゴが置かれる置き台１０１と、商品のバーコードを読み取るバーコード読み取り装置（スキャナ装置）１０２、精算を行うレジスタ台１０３、及び、図１の袋詰め台１を備える。スキャナ装置１０２は、置き台１０１の下流に配置され、袋詰め台１はスキャナ装置１０２の下流に連続して配置されている。図５に示すように、袋詰め台１は、内角が９０°の角をスキャナ装置１０２の角に合わせて配置されている。このように配置することにより、置き台１０１、スキャナ装置１０２、袋詰め台１の一側面が、通路１０５に沿ってほぼ直線上に並ぶ。また、レジスタ台１０３は、置き台１０１に対して通路１０５の反対側に配置されている。これにより、スキャナ装置１０２、レジスタ台１０３、袋詰め台１が、店員Ｃを囲むように配置される。
袋詰め台１の回転テーブル３０は、外側支柱組立体３３の１つの側板４１が、店員Ｃの側に向くように位置決めされている。また、同側板４１に設けられた各ラック対７０には、各々レジ袋Ｂが開いた状態で掛けられている。
【００２５】
客が買い物カゴを置き台１０１に置くと、店員Ｃは商品をカゴから取り出して、スキャナ装置１０２で商品に付けられたバーコードを読み取る。その後、店員Ｃは、バーコードが読み取られた商品を、袋詰め台１のラック対７０に引っ掛けられているレジ袋Ｂに詰める。この際、回転テーブル３０の外側支柱組立体３３の１つの側板４１が店員の側に向いているため、店員は振り返ったり手を大きく伸ばしたりせずに、商品を袋に詰めることができる。また、回転テーブル３０の上下テーブル部４５、３１は前述のような高さ（下テーブル部の高さが７２０ｍｍ）であるため、店員Ｃは無理のない姿勢で袋詰めを行うことができる。
【００２６】
さらに、ラック対７０は２個設けられているので、野菜や菓子などの一般食品と、冷凍食品や、洗剤などの化学薬品とを別の袋に分けて詰めることができる。また、野菜や、豆腐などの水分が滴り落ちるようなものを小分けして包装する必要がある場合は、袋詰め台１の固定テーブル６０上に置かれた小袋ロール６１から小袋を引き出して、同袋に詰めた後、レジ袋に詰める。
レジ袋Ｂの下端は、回転テーブル３０の下テーブル部３１の上に載っているため、レジ袋が重くなってもラック７０が引っ張られるようなことがない。また、トイレットペーパーなどの嵩張る商品は、回転テーブル３０の下テーブル部３１上の空いているスペースに置くこともできる。
【００２７】
店員は、全ての商品のバーコード読み取りと袋詰めが終了した後、レジスタ台１０３に向って精算する。精算後、店員Ｃは、袋詰め台１の回転テーブル３０を、この例では、図の反時計方向に約１２０°回転させる。すると、回転テーブル３０の、商品が詰められた袋が掛けられている側板が、通路１０５側に向く。客は、置き台１０１から真っ直ぐに通路１０５に沿って袋詰め台１まで進み、同台のラック７０から商品が詰められたレジ袋Ｂを引き出す。なお、回転テーブル３０を１２０°回転させると、店員の側には、同テーブル３０の外側支柱組立体３３の次の側板が向い、次の作業を速やかに開始することができる。
【００２８】
なお、このシステム１においては、スキャナ装置１０２の下流に袋詰め台１を設置するスペースを設ける必要がある。しかし、袋詰め台１の幅は最大で１１５０ｍｍであるため、従来のような袋詰め台や通路を設けた場合のスペースに比べて狭くて済む。
【図面の簡単な説明】
【００２９】
【図１】本発明の実施の形態に係る袋詰め台の全体の構造を示す斜視図である。
【図２】図１の袋詰め台のベース台と回転テーブルの構造を示す図であり、図２（Ａ）は平面図、図２（Ｂ）は正面図である。
【図３】ラック対の付近の構造を示す斜視図である。
【図４】袋詰め台を備えた精算システムを示す斜視図である。
【図５】図４の精算システムの平面図である。
【符号の説明】
【００３０】
１  袋詰め台（サッカー台）
１０  ベース台                      １１  天板
１３  収納部                        １５  棚
２０  内側支柱組立体                ２１  底板
２３  支柱                          ２５  天板
３０  回転テーブル（回転台）        ３１  下テーブル部
３２  貫通孔                        ３３  外側支柱組立体
３５  支柱                          ３７  底板
３９  天板                          ４１  側板
４３  アングル                      ４５  上テーブル部
４６  貫通孔                        ５０  ターンテーブル
６０  固定テーブル                  ６１  小袋供給具
７０  ラック                        ７１  幕板
１００  精算システム                １０１  カゴ置き台
１０２  バーコード読み取り装置（スキャナ装置）
１０３  レジスタ台                  １０５  通路
【図１】
2006034765.tif 000003
【図２】
2006034765.tif 000004
【図３】
2006034765.tif 000005
【図４】
2006034765.tif 000006
【図５】
2006034765.tif 000007